(57)【要約】【課題】降り始めの初期雨水には屋根等の表面に付着していたゴミや鳥の糞などが含まれるという問題があり、初期雨水を排除して清浄な雨水を取水することが求められる。また屋根等や雨樋に溜まった木の葉や大きめの異物などが装置内に入り込んで雨水の回収を妨げることもあり、異物などの除去が容易であること、構造が簡素で既存の屋根等の縦樋に容易に装着できること。【解決手段】縦樋の全ての雨水を受水し中央線付近に集めて水流を安定させる下側に凸の樋形状の雨水ガイドと水平方向と高さ方向に隔てた受水壁を設け、ガイド下部先端から飛び出す水量の少ない初期雨水は受水壁まで届かずに下部の縦樋に排除させ、水量が多く水勢の強い清浄な雨水は受水壁を飛び越えて取水する。雨水ガイドと受水壁が清掃できる蓋を設け、既存の縦樋に容易に着脱できるようにスライドする円筒片を設けた。【選択図】図２
2011137299.tif 000002
【特許請求の範囲】
【請求項１】
入水路と排水路を直線上に配し側方に受水壁と雨水の取り出し口を設け入水路と排水路の間に下側に凸の樋形状の雨水ガイドを受水壁に向け下方に傾斜させて設け、雨水ガイドの下部先端位置が受水壁の上端より高い位置かつ水平距離で入水路の最も受水壁上端に近い位置と受水壁の上端との間にある雨水取水装置。
【請求項２】
内部の点検および異物除去、清掃が出来る蓋を設けた請求項１の雨水取水装置。
【請求項３】
スライドする円筒片で縦樋に着脱するようにした請求項１の雨水取水装置。
【発明の詳細な説明】
【技術分野】
【０００１】
本発明は、建造物の屋根表面等の異物で汚れた初期雨水を排除して清浄で良質な雨水を取水する装置に関するものである。
【背景技術】
【０００２】
天空から降り注ぐ天水、雨水は本来清浄なものであり、洗車水、庭木や道端への散水などに雨水を回収して利用することは水資源の活用の観点から有用である。
【０００３】
雨水を回収する方法として建造物の屋根等からの縦樋に装置を取り付ける方法が実際的であるが、雨の降り始めの初期雨水には屋根等の表面に付着していたゴミや鳥の糞などの異物が含まれるという問題があり、降り初めの初期雨水を排除して清浄な雨水を取水することが求められる。
【０００４】
また屋根等や雨樋に溜まった木の葉や大きめの異物などが装置内に入り込んで雨水の回収を妨げるので装置内に異物が滞留しにくく、また入り込んだ異物の除去が容易であることが求められる。
【０００５】
更には既存の縦樋に容易に着脱できて、必要に応じて水洗など内部に沈着する鳥の糞などの汚物の清掃が容易であることが求められる。
【０００６】
初期雨水を排除して良質な雨水を回収する取水装置として「雨水貯留装置」（特許文献１）や「雨水利用装置」（特許文献２）、「初期雨水除去装置とそれを利用した雨水貯留システム」（特許文献３）などが提案されているが、いずれも装置の構造が複雑であること、装置内に異物が滞留しやすいこと、装置を使用中は密閉構造となり装置内部の異物の点検と除去が簡単にできないこと、また既存の縦樋への着脱と内部の清掃が容易でないなどの欠点があった。
【先行技術文献】
【特許文献】
【０００７】
【特許文献１】特許公開２００１−１２３４８４号における分流器は分流凸部、整流凸部、誘導凸部、補助凸部、越流部および越流部の鉛直棒状の補助凸部など多数の機能部位で構成されており装置構造が複雑である。また分流凸部と集水路が水平方向に近接しており初期雨水の排水路への選択排除が不確実であり、かつ異物が分流凸部に流入した場合に異物の排水路への排除も困難である。更には縦樋に取り付けて使用中は装置と樋が密閉構造となるので落ち葉など異物の点検と除去、内部の清掃が困難である。
【特許文献２】特許公開２００６−２２６０８５における雨水利用装置は保水物質に鳥の糞など付着して雑菌が繁殖する恐れがある。また落ち葉など異物の排出が困難であるとともに縦樋に取り付けて使用中は密閉構造となり異物の点検と除去および内部清掃が困難である。
【特許文献３】特許公開２００９−１２１２１７における初期雨水除去装置は構造が複雑であり、初期雨水排水孔の大きさには構造上の制約があるため装置内部に入り込む小さな異物でも目詰まりしやすく、初期雨水の選択排除が不安定である。また縦樋に取り付けて使用中は装置は密閉構造になり、初期雨水排水孔など装置内部の異物除去と清掃が困難である。
【発明の概要】
【発明が解決しようとする課題】
【０００８】
初期雨水を選択的に確実に排除し清浄な雨水を取水することである。
【０００９】
簡素な構造であって装置内部に落ち葉などの異物が滞留しにくい構造とすることである。
【００１０】
装置を使用中に装置内部の異物の点検、除去と清掃が簡単にできることである。
【００１１】
既存の縦樋に着脱が容易にできることである。
【課題を解決するための手段】
【００１２】
取水装置は、直線上に配した入水路と排水路の間に樋形状の雨水ガイドを設け、側方に受水壁と雨水の取水口を設ける構造とした。
【００１３】
雨水ガイドは受水壁に向けて下方に傾斜させ下部先端の位置を水平距離で入水路の最も受水壁に近い位置より更に受水壁側に延在せることで縦樋の雨水を全て一枚の雨水ガイドだけで受けるようにした。雨水ガイドの下部先端は受水壁の上端より高い位置で、水平距離で入水路の最も受水壁上端に近い位置と受水壁の上端との間に位置する。
【００１４】
雨水ガイドの形状を下方向に凸になる樋形状として雨水を雨水ガイド中央線付近に集めて流すことで雨水ガイド上の水流が安定し、雨水ガイドの先端から飛び出す水の勢いが強まる。
【００１５】
雨水ガイドの先端から飛び出す水の勢いが強まるので雨水ガイド先端と受水壁の上端の水平方向の距離を十分に隔てることができる。
【００１６】
雨量の多い清浄な雨水は雨水ガイドの先端から勢いよく飛び出し受水壁を飛び越えて取水され、雨量の少ない初期雨水は雨水ガイドの先端から飛び出す勢いが弱いので受水壁を超えられず雨水ガイドの先端と受水壁の間から確実に排除される。
【００１７】
雨水ガイド先端と受水壁の間の距離が十分に隔たっているので、雨水ガイド先端と受水壁の間の空間は落ち葉などの異物の排出路となるとともに大雨や取水停止時の雨水のオーバーフロー排水路として機能する。
【００１８】
雨水ガイドや受水壁に簡単にアクセスできる位置に蓋を設けることで、装置を使用中に装置内部の異物を点検し異物の除去と清掃が容易にできる。
【００１９】
装置本体の上部には縦樋の外側をスライドする円筒片を嵌挿し、装置の下端は縦樋の内側に嵌まり込む構造とすることで、既存の縦樋に容易に着脱できる。
【発明の効果】
【００２０】
縦樋からの全ての雨水を一枚の雨水ガイドだけで直接受けるようにしたことで装置の構造が簡素になり、製作が容易になることで雨水取水装置を安価に提供できるようになった。
【００２１】
雨水を雨水ガイド中央線付近に集めて流すことで水の流れが安定し雨水ガイドの先端から飛び出す水の勢いが強まるので雨水ガイド先端と受水壁の水平距離を十分に隔てることができた。
【００２２】
雨量の多い清浄な雨水は雨水ガイドの先端から勢いよく飛び出し受水壁を飛び越えて取水され、雨量の少ない初期雨水は雨水ガイドの先端から飛び出す勢いが弱いので受水壁を超えられず十分に水平距離を隔てた雨水ガイド先端と受水壁の間から確実に排除されるようになった。
【００２３】
雨水ガイド先端と受水壁上端の距離を十分に隔てることができたので、雨水ガイド先端と受水壁の間の空間は落ち葉などの異物の排出路と大雨や取水停止時の雨水のオーバーフロー排水路として機能した。
【００２４】
装置を使用中に装置内部の異物を点検し異物の除去と清掃が容易にできる蓋を設けたことで、雨水ガイドや受水壁に簡単にアクセスできて雨水取水装置の機能維持が確実になった。
【００２５】
縦樋の外側をスライドする円筒片を装置本体の上部に嵌挿し、装置の下端は縦樋の内側に嵌まり込む構造とすることで、円筒片のスライドで雨水取水装置を既存の縦樋に容易に着脱できるようになった。
【図面の簡単な説明】
【００２６】
【図１】図１は発明の実施方法を示した説明図である。（実施例１）
【図２】図２は発明の実施方法のうち内部中央の断面を示した説明図である。（実施例１）
【図３】図３は発明の実施方法のうち図２のA-A部で上から見た説明図である。（実施例１）
【図４】図４は発明の実施方法のうち図２のB-B部で横から見た説明図である。（実施例１）
【図５】図５は発明の実施方法のうち雨水ガイドの形状を示した説明図である。（実施例１）
【図６】図６は発明の実施方法のうち雨水ガイド上の水の流れを示した説明図である。（実施例１）
【図７】図７は発明の実施方法のうち初期雨水の流れを示した説明図である。（実施例１）
【図８】図８は発明の実施方法のうち通常雨水の流れを示した説明図である。（実施例１）
【図９】図９は発明の実施方法のうち豪雨の水の流れを示した説明図である。（実施例１）
【発明を実施するための形態】
【００２７】
縦樋からの全ての雨水を一枚の雨水ガイドだけで直接受けるようにし、雨水ガイド中央線付近に集めて流すことで水の流れを安定させ、雨水ガイドの先端から飛び出す水の勢いの弱い初期雨水を雨水ガイド先端と受水壁の間に選択的に排除させた。蓋を設けることで内部が簡単に清掃できるようにし、摺動する円筒片を設けることで既存の縦樋に容易に着脱できるようにした。
【実施例１】
【００２８】
図１と図２は発明の実施例であって、１は樹脂等で成型された雨水取水装置の本体であり、２は点検清掃用の蓋であって、３は取水された清浄雨水の取水口である。４は本体を既存の縦樋に容易に着脱するため上下にスライドする円筒片であり、５と６は本体を装着するために切欠いた縦樋の上部と下部である。４の円筒片を上部の縦樋を中にして上方にスライドした状態で１の本体下部を下部の縦樋に嵌め込んだ後に４の円筒片を下方にスライドして装置本体に嵌挿させることで装置を縦樋に装着することができる。また４の円筒片を上方にスライドして装置本体との嵌挿を解いて１の本体を上方に持ち上げることで装置を取り外すことができる。
【００２９】
図２は内部の構造例であって、１〜６は図１と同様である。７は縦樋からの雨水を受ける下側に凸の樋形状の雨水ガイドであって、８は受水壁である。雨水ガイドの下部先端を水平距離で入水路の最も受水壁に近い位置より更に受水壁側に延在せることで縦樋の雨水を全て一枚の雨水ガイドだけで受けるようにした。図中のA-Aは図３に示される断面で上から見る位置である。図中のB-Bは図４に示される断面で横から見る位置である。
【００３０】
図３は図２のA-A位置で上から見た断面であって、１〜４および７、８は図１と同様である。７の雨水ガイドは８の受水壁に向けて下方向に傾斜していて、縦樋からの全ての雨水を受けるように雨水ガイドの下部先端位置は水平距離で入水路の最も受水壁に近い位置と受水壁の上端との間に位置する。
【００３１】
図４は図２のB-B位置で横から見た断面であって、１、７、８は図１と同様である。７の下方向に凸になる樋形状の雨水ガイドは８の受水壁に向けて下方向に傾斜していて、下部先端位置は受水壁の上端より上方に位置する。
【００３２】
図５は雨水ガイドの形状例であり下に向け凸形の樋形状である。７は図１と同様である。
【００３３】
図６は雨水ガイド上の雨水の様子を見たもので、雨水がガイドの中央線に沿って集めることで安定した水流を形成することを示している。
【００３４】
下側に凸形の樋形状の雨水ガイドとすることで雨水ガイド上の水流が安定するので７の雨水ガイドの下部先端と８の受水壁の上端の間に水平距離を隔てることができる。雨水ガイドと受水壁の間に水平距離を確保することで初期雨水を選択的に確実に排除する。また雨水ガイドと受水壁が十分に隔たっていることで落ち葉など異物が装置内部に滞留しにくい構造となる。
【００３５】
図７は初期雨水の流れる様子を見たものであって、水量が少ないので雨水ガイドから飛び出す勢いが弱いため雨水は受水壁を超えられず下部の縦樋に排除されることを示している。
【００３６】
図８は通常雨水の流れる様子を見たものであって、水量が十分なので雨水ガイドから飛び出す勢いが強く雨水は受水壁を超え清浄雨水の取水口より取水されることを示している。
【００３７】
図９は豪雨時の雨水の流れる様子を見たものであって、水量が清浄雨水の取水口より取水できる量を超えた時に過剰な水量が受水壁からオーバーフローして下部の縦樋に排出されることを示している。
【００３８】
縦樋から取水装置内に入り込んだ落ち葉や大きめの異物は雨水ガイドと受水壁が十分に隔たっているので下部の縦樋に排出され易く、また２の蓋により簡単に内部を点検でき異物の除去や清掃ができて日常の保守管理が容易である。
【００３９】
庭や道への散水、自動車などの水洗など水道水である必要性の低い用途に雨水を利用することは水資源の有効利用となるばかりか、地震など災害時の断水対策として大いに有用である。
【産業上の利用可能性】
【００４０】
戸建て住宅や集合住宅の屋根のみならず学校などの公共施設の屋根に降り注ぐ清浄な雨水を選択的に取水して利用することは無尽蔵ではない水道水資源の節約を図ることが出来る。また雨水をタンク等に一時的に貯水することで都市部の排水施設負荷のピークカットにつながり施設容量の低減と施設の安定稼動の助けとなる。更には地震など災害時の断水を補うものとして、特にトイレなど市民生活に必要不可欠な水の確保に適用することができる。
【符号の説明】
【００４１】
１      雨水取水装置の本体
２     点検清掃用の蓋
３     清浄雨水の取水口
４     スライドする円筒片
５     縦樋（上部）
６      縦樋（下部）
７      下側に凸の樋形状の雨水ガイド
８      受水壁
【図１】
2011137299.tif 000003
【図２】
2011137299.tif 000004
【図３】
2011137299.tif 000005
【図４】
2011137299.tif 000006
【図５】
2011137299.tif 000007
【図６】
2011137299.tif 000008
【図７】
2011137299.tif 000009
【図８】
2011137299.tif 000010
【図９】
2011137299.tif 000011